(57)【特許請求の範囲】
【請求項１】
鋼板とゴムシートとを積層して構成したゴム支承体を下部構造物の上面の沓座モルタルに載置し、上部構造物を、該上部構造物の下面に固定した上部滑り部材と前記ゴム支承体の上面に固定した下部滑り部材とを介して前記ゴム支承体に載置して成るゴム支承体の滑動防止構造において、前記ゴム支承体の下面と沓座モルタルの上面とを常温硬化型接着剤を介して一体的に固着して成るゴム支承体の滑動防止構造。
【請求項２】
前記常温硬化型接着剤により沓座モルタルの上面と接着する前記ゴム支承体の接着面に対して、バフ処理，塩素化処理，酸化処理のいずれか一つの処理方法を行う請求項１に記載のゴム支承体の滑動防止構造。
【請求項３】
前記常温硬化型接着剤が、フェノール系接着剤、ウレタン系接着剤、変性シリコーン系接着剤、ゴム系接着剤、シアノアクリレート系接着剤およびエポキシ系接着剤からなる群から選択される少なくとも１つである請求項１または２に記載のゴム支承体の滑動防止構造。
【発明の詳細な説明】
【０００１】
【発明の属する技術分野】
この発明は、ゴム支承体の滑動防止構造に係わり、更に詳しくは構造物上に載置されたゴム支承体が、構造物の橋軸方向の移動に伴ってずれ動くのを有効に防止させたゴム支承体の滑動防止構造に関するものである。
【０００２】
【従来の技術】
従来、コンクリート橋桁等の上部構造物と橋脚または橋台等の下部構造物との滑り支承の構造としては、例えば、図２及び図３に示すように、下部構造物１上に、沓座モルタル２を介して鋼板３とゴムシート４とを積層させて構成して成るゴム支承体５を載置し、ゴム支承体５の上面には、鉄板６を介してテフロン板から成る下部滑り部材７を接着固定していた。一方、上部構造物８の下面には、前記テフロン板から成る滑り部材７上を滑るステンレス板から成る上部滑り部材９を固定していた。
【０００３】
上記のような滑り支承は、上部構造物８の橋軸方向（図の矢印Ｘ）または橋軸直角方向の剪断変形をゴム支承体５の上面で滑らせるものである。
【０００４】
【発明が解決しようとする課題】
ところで、上記のようなゴム支承体５は、下部構造物１上に沓座モルタル２を介して単に載置された構造となっているために、上部構造物８が橋軸方向（図の矢印Ｘ）または橋軸直角方向に移動した際、ゴム支承体５も追従してずれ動くことがあり、このため滑動防止手段１０が設けられていた。
【０００５】
この滑動防止手段１０は、従来例としては図２に示すように下部構造物１の上面に沓座モルタル２を打設した後、ゴム支承体５の据え付け位置に必要な深さまで穴１１を加工し、その後、穴１１内に棒状の滑動防止部材１２を挿入すると共に、滑動防止部材１２の位置，高さを保持した状態でモルタル等の充填材１３を充填して固定し、沓座モルタル２の上面から突出した滑動防止部材１２の突出部１２ａに、ゴム支承体５の底面に予め形成した嵌合凹部１４を嵌合させて位置決め固定していた。
【０００６】
然しながら、ゴム支承体５の据え付け位置に滑動防止部材１２を位置決めして設ける作業には、多くの手間と時間がかかり、非常に大変な作業であった。
また、他の従来例としては、図３に示すように、下部構造物１の上面に沓座モルタル２を打設した後、ゴム支承体５の据え付け位置近傍の沓座モルタル２及び下部構造物１に、ブロック状の滑動防止部材１５を固定釘１６を介して組付け固定していた。
【０００７】
然しながら、この従来例においても、ブロック状の滑動防止部材１５の固定釘１６を打ち込む際に沓座モルタル２が破損すると言う問題があり、また多くの手間と時間がかかると言う問題があった。
この発明の目的は、構造物上に載置されたゴム支承体が、構造物の橋軸方向または橋軸直角方向の移動に伴ってずれ動くのを簡単な施工によって有効に防止させることが出来るゴム支承体の滑動防止構造を提供することにある。
【０００８】
【課題を解決するための手段】
上記目的を達成するため、本発明のゴム支承体の滑動防止構造は、鋼板とゴムシートとを積層して構成したゴム支承体を下部構造物の上面の沓座モルタルに載置し、上部構造物を、該上部構造物の下面に固定した上部滑り部材と前記ゴム支承体の上面に固定した下部滑り部材とを介して前記ゴム支承体に載置して成るゴム支承体の滑動防止構造において、前記ゴム支承体の下面と沓座モルタルの上面とを常温硬化型接着剤を介して一体的に固着したことを要旨とするものである。ここで、前記常温硬化型接着剤により沓座モルタルの上面と接着する前記ゴム支承体の接着面に対して、バフ処理、塩素化処理、酸化処理のいずれか一つの処理方法を行うこともできる。また、前記常温硬化型接着剤を、フェノール系接着剤、ウレタン系接着剤、変性シリコーン系接着剤、ゴム系接着剤、シアノアクリレート系接着剤およびエポキシ系接着剤からなる群から選択される少なくとも１つとすることもできる。
【０００９】
【発明の実施の形態】
以下、添付図面に基づき、この発明の実施形態を説明する。
なお、従来例と同一構成要素は、同一符号を付して説明は省略する。
図１は、この発明の第１実施形態を示すゴム支承体２０の取付け状態を示す断面図であって、ゴム支承体２０は、鋼板３とゴムシート４とを積層させて一体的に構成されている。
【００１０】
前記ゴム支承体２０の下部面２０ａと沓座モルタル２の上面２ａとは、常温硬化型接着剤２１を介して一体的に固着されている。この施工作業は、ゴム支承体２０の下部面２０ａを、バフ処理，塩素化処理（例えば、トリクロロイソシアヌル酸溶液），酸化処理のいずれか一つの処理方法により行うものである。
また、常温硬化型接着剤２１としては、１液型でも２液型でもよいが、フェノール系接着剤、ウレタン系接着剤、変性シリコーン系接着剤、ゴム系接着剤、シアノアクリレート系接着剤、エポキシ系接着剤が挙げられる。
【００１１】
使用する接着剤の種類は、用いるエラストマーおよび硬質板の種類、必要とされる接着力等に応じて適宜決定すればよく、支承体とした場合に圧縮破壊してもゴム破壊となる程度の接着力とするのが好ましい。また、これらを単独で用いても、二種以上を併用してもよい。特にエラストマー側にはエラストマーとのぬれ性の良い接着剤を用いて、この２層の接着剤間を強固に接着すれば高い接着力が得られる。
【００１２】
フェノール系接着剤としては、ビニルフェノリック型、エポキシフェノリック型、ニトリルフェノリック型等が挙げられ、他の接着剤と併用して用いられる。
ウレタン系接着剤としては、ポリイソシアネートとポリエーテルあるいはポリエステルポリオールを主原料とするプレポリマーをベースに、炭酸カルシウム、カーボンブラック等のフィラーと三級アミン、錫触媒等の添加剤を配合したものを用いればよい。また、ポリオールとしてエポキシ変性、ゴム変性体、ゴムの末端や内部に水酸基を付加したもの、フェノール樹脂等も接着向上のために好適に用いられる。
【００１３】
また、潜在性硬化剤として、オキサゾリジン化合物，ケチミン化合物，アルジミン化合物，エナミン化合物等を併用すると硬化性がより良好となる。
変性シリコーン系接着剤は、ポリオールの末端をアルコキシシリル化したポリマーであり、一般的には鐘淵化学工業のＭＳポリマーが好適に用いられる。前記同様にフィラー、触媒等の添加剤を配合したもの、また、ポリオールは変性したものを用いることが好ましい。
【００１４】
ゴム系接着剤は、塩素化天然ゴム、クロロプレン、ポリブタジエン等のゴムと、テトラメチルチウラムジスルフィド（ＴＴ）やテトラメチルチウラムモノスルフィド（ＴＳ）等の低温硬化剤、フェノール樹脂、レゾール樹脂、また必要に応じて、イソシアネート等が添加された溶液タイプのものを用いればよい。また、フィラーとしてカーボンブラック、チタン、炭酸カルシウム等を加えるのが好ましい。
【００１５】
シアノアクリレート系接着剤は、いわゆる瞬間接着剤と呼ばれるもので、東亜合成化学（株）等から市販されている２−シアノアクリレート並びにその誘導体をベースとしたものを用いればよいが、単独ではなく、他と併用することが好ましい。
エポキシ系接着剤は、グリシジルエーテル型、グリシジルエステル型、グリシジルアミン型、脂環型等のエポキシ樹脂と、ポリアミドアミン、ポリチオール、酸無水物等の硬化剤、触媒、フィラー等から構成されるものを用いればよい。
【００１６】
エポキシ樹脂は、フェノールノボラック型やオルソクレゾールノボラック型に変性、あるいはゴム変性したもの、またアミン硬化剤もゴム変性したものを必要に応じて用いる。また、潜在性硬化剤として、オキサゾリジン化合物，ケチミン化合物，アルジミン化合物，エナミン化合物等を併用すると硬化性がより良好となる。
【００１７】
これらの接着剤は被着体であるエラストマー種に対応して、単独もしくは複数用いられる。
以上のように、ゴム支承体２０の接着面を塩素化処理または酸化処理を施し、この接着面にフェノール系接着剤、ウレタン系接着剤、変性シリコーン系接着剤、ゴム系接着剤、シアノアクリレート系接着剤およびエポキシ系接着剤からなる群から選択される少なくとも１つの常温硬化型接着剤を介して一体的に固着することで、ゴム支承体２０が構造物８の橋軸方向または橋軸直角方向の移動に伴ってずれ動くの有効に防止させることが出来ると共に、施工も容易に行うことが出来るものである。
【００１８】
この発明は、上記のようにゴム支承体の下面と沓座モルタルの上面とを常温硬化型接着剤を介して一体的に固着したので、下部構造物上に載置されたゴム支承体が、上部構造物の橋軸方向または橋軸直角方向の移動に伴ってずれ動くのを簡単な施工によって有効に防止させることが出来、また従来のように滑動防止部材を位置決め固定するための加工作業等は省略することが出来るので、滑動防止部材の設置するための作業性を向上させることが出来る。
【図面の簡単な説明】
【図１】この発明の実施形態を示すゴム支承体の取付け状態を示す断面図である。
【図２】滑動防止部材の従来例を示す断面図である。
【図３】滑動防止部材の他の従来例を示す断面図である。
【符号の説明】
１  下部構造物                    ２ａ  上面
２  沓座モルタル                    ３  鋼板
４  ゴムシート                      ７  下部滑り部材
８  上部構造物                      ９  上部滑り部材
１０  滑動防止手段                  １１  穴
１２  滑動防止部材                  ２０  ゴム支承体
２０ａ  下面部                        ２１  滑動防止部材
【図１】
0004075970.tif 000002
【図２】
0004075970.tif 000003
【図３】
0004075970.tif 000004